(57)【要約】【課題】半導体レーザーからの光を反射させる構成における部品点数を少なくでき、位置合わせが容易であると共に、光軸に対する傾きがあっても確実に元の位置に光を戻すことのできるレンズを提供する。【解決手段】光が入出射する凸状のレンズ面１１を有し、レンズ面１１は発散光を平行光とするコリメートレンズであり、レンズ面１１と対向する側には、レンズ面１１から入射した光を反射させる反射部１２が形成され、反射部１２はレンズ面１１の中心軸上に頂部１２ａを有する円錐形状または４以上の偶数正多角錐形状からなると共に、先端角度が９０°に形成されてなる。【選択図】図１
2011033665.tif 000002
【特許請求の範囲】
【請求項１】
光が入出射する凸状のレンズ面を有するレンズにおいて、
前記レンズ面は発散光を平行光とするコリメートレンズであり、前記レンズ面と対向する側には、前記レンズ面から入射した光を反射させる反射部が形成され、該反射部は前記レンズ面の中心軸上に頂部を有する円錐形状または４以上の偶数正多角錐形状からなると共に、先端角度が９０°に形成されてなることを特徴とするレンズ。
【請求項２】
レンズ厚ｔは屈折率をｎ、前記レンズ面の焦点距離をｆとすると、０．８＜ｔ／（ｆ×ｎ）＜１．２の範囲であることを特徴とする請求項１記載のレンズ。
【発明の詳細な説明】
【技術分野】
【０００１】
本発明は、入射する光を平行光として反射させ再び元の方向に戻すレンズに関し、特に光の入射角度が変化しても元の方向に光を戻すことのできるレンズに関する。
【背景技術】
【０００２】
半導体レーザーにおいては、励起された光が活性層の両側に出射される。このため、光が一方向に出射するように、出射方向と反対方向に出射した光については、ミラー等の反射部により反射させて活性層に戻すことが行われる。これによって、所定方向に出射される光を増幅する効果が得られる。このように、ミラー等の反射部により、励起された光を半導体レーザーに戻す技術としては、例えば特許文献１に挙げるようなものがある。
【先行技術文献】
【特許文献】
【０００３】
【特許文献１】特開２００２−７６４７９号公報
【発明の概要】
【発明が解決しようとする課題】
【０００４】
半導体レーザーから出射される光は発散光であり、これを高効率に反射させるためには、半導体レーザーの活性層に対向するようにコリメートレンズを配置し、このコリメートレンズによって発散光を平行光とした上で、ミラー等の反射部で反射させ、反射した平行光が再びコリメートレンズを透過して元の位置に集光される構成とするのが一般的である。このように構成した場合、レンズと反射部及び半導体レーザーが別部品であるため、これらを高精度に位置決めする必要があり、特に光軸に対する傾きが生じると、元の位置に光を戻すことができないので、効率が低下するという問題があった。
【０００５】
本発明は前記課題を鑑みてなされたものであり、半導体レーザーからの光を反射させる構成における部品点数を少なくでき、位置合わせが容易であると共に、光軸に対する傾きがあっても確実に元の位置に光を戻すことのできるレンズを提供することを目的とする。
【課題を解決するための手段】
【０００６】
前記課題を解決するため、本発明に係るレンズは、光が入出射する凸状のレンズ面を有するレンズにおいて、
前記レンズ面は発散光を平行光とするコリメートレンズであり、前記レンズ面と対向する側には、前記レンズ面から入射した光を反射させる反射部が形成され、該反射部は前記レンズ面の中心軸上に頂部を有する円錐形状または４以上の偶数正多角錐形状からなると共に、先端角度が９０°に形成されてなることを特徴として構成されている。
【０００７】
また、本発明に係るレンズは、レンズ厚ｔは屈折率をｎ、前記レンズ面の焦点距離をｆとすると、０．８＜ｔ／（ｆ×ｎ）＜１．２の範囲であることを特徴として構成されている。
【発明の効果】
【０００８】
本発明に係るレンズによれば、レンズ面は発散光を平行光とするコリメートレンズであり、レンズ面と対向する側には、レンズ面から入射した光を反射させる反射部が形成され、反射部はレンズ面の中心軸上に頂部を有する円錐形状または４以上の偶数正多角錐形状からなると共に、先端角度が９０°に形成されてなることにより、レンズ面側からの光に角度のずれがあっても、光を同じ方向に反射させることができ、発光源とレンズに面ずれを生じても確実に光を同じ位置に戻すことができるので、機器の組立を容易にすることができる。また、レンズにレンズ面と反射部が一体的に形成されているので、部品点数も少なくすることができ、それに伴い位置決めも容易にすることができる。
【０００９】
また、本発明に係るレンズによれば、レンズ厚ｔは屈折率をｎ、レンズ面の焦点距離をｆとすると、０．８＜ｔ／（ｆ×ｎ）＜１．２の範囲であることにより、光学系を共焦点系として反射部での反射を高効率になすことができる。
【図面の簡単な説明】
【００１０】
【図１】本実施形態におけるレンズを用いた光学系の概要図である。
【図２】レンズの斜視図である。
【図３】レンズの正面図と平面図及び底面図である。
【図４】レンズの左右側面図と背面図及び断面図である。
【図５】レンズが光軸に対して傾斜した場合における光学系の概要図である。
【図６】鏡筒付のレンズの正面図及び平面図である。
【図７】鏡筒付のレンズの底面図と左右側面図である。
【図８】鏡筒付のレンズの背面図と断面図である。
【図９】鏡筒付のレンズの斜視図である。
【発明を実施するための形態】
【００１１】
本発明の実施形態について図面に沿って詳細に説明する。図１には、本実施形態におけるレンズを用いた光学系の概要図を示している。この図に示すように、本実施形態の光学系は、半導体レーザー２が配置され、その出射方向と反対側に対向するように、レンズ１が配置されて構成されている。
【００１２】
半導体レーザー２は、複数の層が積層状に形成されてなる一般的な構成を有しており、複数層のうち活性層の両端からそれぞれ励起された光が出射される。光が出射される活性層の両端のうち、一方側からは最終的に光が外部に出射されるのに対し、他方側から出射された光は、レンズ１によって反射され、活性層の同位置に戻される。これにより、光を増幅させる効果を得ることができる。
【００１３】
レンズ１は、半導体レーザー２の光軸方向に沿って所定のレンズ厚ｔを有するレンズ本体１０からなり、半導体レーザー２と対向する面には、レンズ面１１が形成されている。レンズ面１１は、半導体レーザー２からの発散光を平行光にすると共に、反射した光を半導体レーザー２の端面に集光するコリメートレンズとして機能するように形成されている。
【００１４】
図２には、レンズ１の斜視図を示している。この図に示すように、レンズ１を構成するレンズ本体１０は、略円筒状をなすように形成されており、一方の端面に凸状のレンズ面１１が形成されている。レンズ面１１は、非球面レンズからなるが、球面レンズであってもよい。また、レンズ面１１の焦点距離はｆであり、レンズ１は屈折率ｎのガラスまたは樹脂材からなる透明な材質によって形成される。
【００１５】
図３〜４には、レンズ１の六面図及び断面図を示している。図３（ａ）はレンズ１の正面図、図３（ｂ）はレンズ１の平面図、図３（ｃ）はレンズ１の底面図、図４（ａ）はレンズ１の右側面図、図４（ｂ）はレンズ１の左側面図、図４（ｃ）はレンズ１の背面図、図４（ｄ）は図３（ａ）におけるＡ−Ａ断面図である。これらの図に示されているように、レンズ１のレンズ面１１と反対側には、円錐形状の反射部１２が形成されている。
【００１６】
反射部１２の円錐形状は、頂部１２ａがレンズ面１１の中心軸上に配置され、また先端角度が９０°となるレトロリフレクト面として形成されている。なお、ここでの先端角度は、錐形状の中心線を含む断面と周面とがなす２本の稜線が、先端部で交わる角度のことである。反射部１２の周面には、多層膜フィルター１２ｂが形成されており、レンズ面１１からの光を全反射するように構成されている。多層膜フィルター１２ｂの材質としては、ＭｇＦ、ＳｉＯ2、Ａｌ2Ｏ3、Ｔｉ2Ｏ3、Ｚｒ2Ｏ3などの一般的な材料を用いることができる。
【００１７】
図１に示すように、レンズ１においてレンズ面１１で平行とされた光は、反射部１２の周面で反射すると、該反射位置と対向する周面位置に向かって進み、該周面位置で再度反射してレンズ面１１側に向かう。この光学系は、レンズ面１１がコリメートレンズであって、反射部１２がレトロリフレクト面からなるため、物点と像点が同じ位置となる。すなわち、半導体レーザー２の所定位置から出射されレンズ面１１から入射した光は、反射部１２で２回反射しレンズ面１１から再び出射されて、半導体レーザー２における出射位置と同位置に集光される。
【００１８】
また、レンズ１が光軸に対して傾斜した場合であっても、反射部１２がレトロリフレクト面であるため、光を同じ位置に戻すことができる。図５には、レンズ１が光軸に対して傾斜した場合における、光学系の概要図を示している。この図に示すように、レンズ面１１に対して傾斜状に入射した光は、レンズ１内で平行光となり、この平行光は反射部１２で２回反射することにより、同じ角度で元の方向に戻り、レンズ面１１に対して再び同じ入射角度で入射するため、レンズ面１１による集光位置は、半導体レーザー２の出射位置と同位置となる。
【００１９】
このように、コリメートレンズからなるレンズ面１１に対向するように、レンズ面の中心軸上に頂部を有する円錐形状からなると共に、先端角度が９０°の反射部１２が形成されていることにより、レンズ面１１側からの光に角度のずれがあっても、光を同じ方向に反射させることができる。このため、半導体レーザー２とレンズ１に面ずれを生じても確実に光を同じ位置に戻すことができるので、機器の組立を容易にすることができる。また、レンズ１にレンズ面１１と反射部１２が一体的に形成されているので、部品点数も少なくすることができ、それに伴い位置決めも容易にすることができる。
【００２０】
図１の光学系において、レンズ面１１と半導体レーザー２との距離ＷＤは、レンズ面１１の焦点距離ｆとなるように設定される。レンズ１は、レンズ面１１から反射部１２までの所定のレンズ厚ｔを有しており、このレンズ厚ｔは、レンズ面１１の焦点距離ｆとレンズ１の屈折率ｎにより、好ましくはｔ＝ｆ×ｎと表されるように形成される。なお、凸状からなるレンズ面１１におけるレンズ厚ｔの基準は、図１に示すようにレンズ主点となるレンズ面１１の頂点部であり、反射部１２におけるレンズ厚ｔの基準は、図１に示すように頂部１２ａの位置である。
【００２１】
レンズ厚ｔをこのようにすることで、図１の光学系が共焦点系となり、レンズ面１１と半導体レーザー２との距離ＷＤに若干の誤差が生じても、効率よく結合をなすことができる。特に、上記条件を満たすことで、反射部１２による反射位置がビームウエスト位置となるため、理論的には波面半径が無限大となり、反射部１２におけるロスを極小化することができる。
【００２２】
また、少なくともこれらの関係が０．８＜ｔ／（ｆ×ｎ）＜１．２となるように設定することで、上記条件に近い状態とすることができ、ロスを少なくすることができる。
【００２３】
また、レンズ１は鏡筒付のものであってもよい。図６〜９には、鏡筒付のレンズ１の六面図と断面図及び斜視図を示している。図６（ａ）はレンズ１の正面図、図６（ｂ）はレンズ１の平面図、図７（ａ）はレンズ１の底面図、図７（ｂ）はレンズ１の右側面図、図７（ｃ）はレンズ１の左側面図、図８（ａ）はレンズ１の背面図、図８（ｂ）は図６（ａ）におけるＡ−Ａ断面図、図９（ａ）はレンズ１の正面側から見た斜視図、図９（ｂ）はレンズ１の背面側から見た斜視図である。
【００２４】
図６〜９において、レンズ１を構成するレンズ本体１０は、図２及び図３のものと同形状に形成される。そして、レンズ本体１０の周面を取り囲むように、中空円筒状の金属材からなる鏡筒２０が設けられる。鏡筒２０が設けられることにより、機器内においてレンズ１を取り付けやすくすることができる。
【００２５】
以上、本発明の実施形態について説明したが、本発明の適用は本実施形態には限られず、その技術的思想の範囲内において様々に適用されうるものである。例えば、本実施形態では、反射部１２を円錐形状としたが、正四角錐、正六角錐・・・等の４以上の偶数正多角錐形状であれば、同様にレトロリフレクト面を構成することができるので、これらの形状を採用することもできる。
【符号の説明】
【００２６】
１    レンズ
２    半導体レーザー
１０    レンズ本体
１１    レンズ面
１２    反射部
１２ａ  頂部
１２ｂ  多層膜フィルター
２０    鏡筒
【図１】
2011033665.tif 000003
【図２】
2011033665.tif 000004
【図３】
2011033665.tif 000005
【図４】
2011033665.tif 000006
【図５】
2011033665.tif 000007
【図６】
2011033665.tif 000008
【図７】
2011033665.tif 000009
【図８】
2011033665.tif 000010
【図９】
2011033665.tif 000011